(57)【特許請求の範囲】
【請求項１】
磁気カードの挿入排出口となる開口部と、
前記開口部近傍に設けられて、電磁界の変化に応じて信号を出力する磁気ヘッドと、
前記開口部近傍に妨害磁界を放射する１又は複数の磁界発生部と、
前記開口部に挿入された前記磁気カードの移動速度に関する速度情報を取り込み、前記磁界発生部を制御する制御部と、を備え、
前記制御部は、
前記速度情報を基に、前記磁界発生部から放射される妨害磁界の周波数を決定する
ことを特徴とする、カード処理装置。
【請求項２】
前記開口部に挿入された前記磁気カードの移動速度を検出し、検出信号を出力するカード速度検出部を更に備え、
前記制御部は、
前記カード速度検出部からの検出信号を前記磁気カードの移動速度に関する速度情報として取り込む
ことを特徴とする、請求項１に記載のカード処理装置。
【請求項３】
前記制御部は、
前記磁気ヘッドからの信号であって、前記磁気カードの磁気ストライプから得られた磁気信号を前記磁気カードの移動速度に関する速度情報として取り込む
ことを特徴とする、請求項１に記載のカード処理装置。
【請求項４】
前記制御部は、
前記複数の磁界発生部を制御する場合、前記速度情報を基に、前記複数の磁界発生部からそれぞれ放射される妨害磁界の周波数を、それぞれ相異なる周波数として決定する
ことを特徴とする、請求項１に記載のカード処理装置。
【請求項５】
前記制御部は、
前記速度情報から得られた前記磁気カードの移動速度と前記磁気カードのデータ記録密度に応じた係数とから、前記磁界発生部から放射される妨害磁界の周波数または妨害磁界の強度を決定し、前記磁界発生部に対して前記妨害磁界の放射を指令する
ことを特徴とする、請求項２に記載のカード処理装置。
【請求項６】
前記制御部は、
前記速度情報から得られた前記磁気カードの移動速度と前記磁気カードのデータ記録密度に応じた係数とから、前記磁界発生部から放射される妨害磁界の周波数または妨害磁界の強度を決定し、前記磁界発生部に対して前記妨害磁界の放射を指令する
ことを特徴とする、請求項３に記載のカード処理装置。
【請求項７】
情報の入出力を行う入出力部と、磁気カードに記録された磁気情報を読み取って処理するカード処理部と、現金の入出力を行う現金処理部と、全体を統括制御する制御部とを備えた自動取引装置であって、
前記カード処理部に、請求項１〜６のうちいずれか１項に記載のカード処理装置の構成要素を搭載する
ことを特徴とする、自動取引装置。
【発明の詳細な説明】
【技術分野】
【０００１】
本発明は、カード処理装置及び自動取引装置に関し、磁界発生部およびカード速度検出部を備えたカード処理装置及び自動取引装置に適用して好適なるものである。
【背景技術】
【０００２】
ＡＴＭ（現金自動預金支払機）などの取引処理装置には、磁気カードもしくはＩＣ（Integrated Circuit）カードに対して情報の処理を行うカード処理装置が搭載されている。このカード処理装置は、カード挿入排出口から挿入された磁気カードもしくはＩＣカードを本体内に取り込んで、磁気カードの磁気ストライプに記録された磁気情報を磁気ヘッドで読み込んだり、ＩＣカードのＩＣチップに記録された情報を読み込んだりする。そして、取引終了後に、磁気カードもしくはＩＣカードを本体内からカード挿入排出口へ排出する。
【０００３】
ＡＴＭにおいて、磁気ヘッドを備えた偽のカード挿入排出口を有する不正装置を、正規のカード挿入排出口に被せるように設置して、磁気カードの磁気情報を不正に取得する、スキミングと呼ばれる犯罪がある。
【０００４】
スキミングの防止対策として、例えば、磁界発生部により正規のカード挿入排出口の近傍に磁界を発生させて、不正装置の磁気ヘッドで磁気カードの磁気情報が読み取られるのを妨害する技術がある（例えば特許文献１）。
【０００５】
特許文献１に記載されて技術を利用したカード処理装置は、磁気カード挿入排出速度に係わらず、スキマーを妨害するために、妨害磁界を発生させている。
【０００６】
また、カード挿入排出口の近傍の磁界発生部から、複数の周波数の磁界を発生させることにより、スキミングを防止する技術がある（例えば特許文献２）。
【先行技術文献】
【特許文献】
【０００７】
【特許文献１】特開２００１−６７５２４号公報
【特許文献２】特開２００５−２６６９９９号公報
【発明の概要】
【発明が解決しようとする課題】
【０００８】
上記特許文献１には、妨害磁界発生器がカードスロットの外側部分における磁気カードの磁気ストライプが通過する通過経路を含む領域に磁界を発生させると記されているだけであり、どのような磁界を発生させるかについての具体的な説明はされていない。例えば、妨害磁界が直流である場合、または交流の妨害磁界の周波数が磁気ストライプの読み取り信号の信号周波数に比べて十分に高いまたは低い場合には、読み取り信号のみを通過させるバンドパスフィルタを備えたスキミング装置によって磁気情報が窃取されてしまうという課題がある。
【０００９】
また、上記特許文献２には、磁界の周波数が３００Ｈｚ以上８．４ｋＨｚ以下であり、この周波数は、磁気カードの記録密度が７５〜２１０ｂｐｉ（ビット／インチ）で、スキミング装置を通るときの移動速度が０．１〜１ｍ／秒であるときの磁気情報の読み取り信号周波数を含むので、当該磁気ヘッドによる読み取りを効果的に妨害することができると記されているが、発生している磁界の周波数と磁気カードの移動速度による磁気情報の読取り周波数が一致してないと、スキミング装置によって磁気情報が窃取されてしまうという課題がある。
【００１０】
さらに、磁気カードがスキミング装置を通るときの移動速度が０．１ｍ／秒以下、もしくは１ｍ／秒以上であるときも、スキミング装置によって磁気情報が窃取されてしまうという課題がある。
【００１１】
本発明は以上の点を考慮してなされたもので、磁気カードの移動速度に係わらず、磁気カードに記録された磁気情報の不正な読み取りを防止するカード処理装置及び自動取引装置を提供することである。
【課題を解決するための手段】
【００１２】
かかる課題を解決するために本発明においては、磁気カードの挿入排出口となる開口部と、前記開口部近傍に設けられて、電磁界の変化に応じて信号を出力する磁気ヘッドと、前記開口部近傍に妨害磁界を放射する１又は複数の磁界発生部と、前記開口部に挿入された前記磁気カードの移動速度に関する速度情報を取り込み、前記磁界発生部を制御する制御部と、を備え、前記制御部は、前記速度情報を基に、前記磁界発生部から放射される妨害磁界の周波数を決定することを特徴とする。
【００１３】
かかる構成によれば、開口部の周囲には、磁気カードの移動速度に応じた周波数（磁気カードの磁気信号の周波数と同一もしくは近傍の周波数）の妨害磁界が放射されるので、開口部の周囲に配置されるスキミング装置は妨害磁界をフィルタリングすることができないため、確実に妨害することができる。
【００１４】
また、かかる課題を解決するために本発明においては、上記カード処理装置を搭載した自動取引装置が提供される。
【発明の効果】
【００１５】
本発明によれば、磁気カードの移動速度に係わらず、磁気カードに記録された磁気情報の不正な読み取りを防止することができる。
【図面の簡単な説明】
【００１６】
【図１】本発明の第１の実施の形態に係るカード処理装置の構成を示すブロック図である。
【図２】同実施の形態にかかるカード処理装置の概略構造図である。
【図３】同実施の形態にかかるカード処理装置の妨害磁界発生動作を示す説明図である。
【図４】同実施の形態にかかるカード処理装置のカード移動速度と妨害磁界の周波数を示す説明図である。
【図５】同実施の形態にかかるカード処理装置のカード移動速度と妨害磁界の周波数を示す説明図である。
【図６】本発明の第２の実施の形態にかかるカード処理装置の構成を示すブロック図である。
【図７】同実施の形態にかかるカード処理装置のカード移動速度と妨害磁界の周波数を示す説明図である。
【図８】本発明の第３の実施の形態にかかるカード処理装置の構成を示すブロック図である。
【図９】同実施の形態にかかるカード処理装置の妨害磁界発生動作を示す説明図である。
【００１７】
以下図面について、本発明の一実施の形態を詳述する。
【００１８】
（１）第１の実施の形態
（１−１）カード処理装置の構成
まず、本実施の形態にかかるカード処理装置１００の構成について、図１および図２を参照して説明する。図１は、本発明の第１の実施の形態に係るカード処理装置の構成を示すブロック図であり、図２は、本実施の形態にかかるカード処理装置の概略構造図である。
【００１９】
カード処理装置１００は、例えば、金融機関に設置されたＡＴＭ（Automatic Teller Machine）などに搭載される。カード処理装置１００は、顧客が所有する磁気カードを受け付けて、磁気カードに記録された磁気情報を読み取るカードリーダから構成されている。
【００２０】
図１に示すように、カード処理装置１００は、制御部２、記憶部３、磁気読み取り部４、カード位置検出センサ６、ホストインタフェイス７、カード挿入検出センサ８、カードロック駆動部９、妨害発生ユニット１０及びカード速度検出部３０を含む。
【００２１】
妨害発生ユニット１０は、磁界制御部１３、ループアンテナ１２を備える磁界発生部１１を含む。
【００２２】
カード速度検出部３０は、カード速度検出センサ３１と回路（図示せず）を含む。
【００２３】
制御部２は、マイクロコンピュータ（ＣＰＵ）から構成され、記憶部３に格納されたプログラムに従って各部の動作を制御する。記憶部３は、メモリから構成され、各種の情報（プログラム）を記憶している。磁気読み取り部４は、図２に示すように、磁気ヘッド４ａと、磁気ヘッド４ａを駆動するための回路（図示せず）から構成されている。磁気読み取り部４は、本体１内で磁気ヘッド４ａにより磁気カード２００の磁気ストライプから磁気情報を読み取る。
【００２４】
カード位置検出センサ６は、図２に示すように、１つもしくは２つ以上の光センサ（発光素子と受光素子を含む）６ａから構成されている。制御部２は、カード位置検出センサ６の出力状態に基づいて、本体１内における磁気カード２００の位置を検知する。ホストインタフェイス７は、ＡＴＭに情報を送受信する回路から構成されている。
【００２５】
カード挿入検出センサ８は、図２に示すように、１つの光センサ（発光素子と受光素子を含む）８ａから構成されている。カード挿入検出センサ８は、磁気カード２００の挿入排出口となる開口部２０から挿入された磁気カード２００を検出し、検出信号を制御部２に出力する。制御部２は、カード挿入検出センサ８の出力状態に基づいて、カード処理装置１００への磁気カード２００の挿入を検知する。カードロック駆動部９は、図２に示すように、カードロックレバー９ａをカード搬送路に出し入れさせるためのソレノイドや回路（図示せず）から構成されている。
【００２６】
次に、妨害発生ユニット１０の詳細について説明する。磁界発生部１１には、ループアンテナ１２と、ループアンテナ１２を駆動するための回路（図示せず）が含まれている。磁界発生部１１は、磁気ヘッド４ａより開口部２０側であって、磁気ヘッド４ａの前方に配置されると共に、開口部２０の上方に配置される。磁界発生部１１は、ループアンテナ１２に電流を流すことにより、ループアンテナ１２から開口部２０の周囲に妨害磁界を放射させる。
【００２７】
磁界制御部１３は、例えば、制御部２からの指令（制御信号）を基に磁界発生部１１のループアンテナ１２からの妨害磁界の周波数および強度を制御し、妨害磁界を発生および停止する。
【００２８】
次に、カード速度検出部３０の詳細について説明する。カード速度検出部３０に含まれるカード速度検出センサ３１は、磁気ヘッド４ａより開口部２０の前方に配置され、光学式マウスで利用されているイメージセンサで構成され、挿入および排出される磁気カード２００の移動速度を検出し、検出信号（検出速度）を制御部２に送信する。カード速度検出センサ３１は、機械式マウスで利用されているホイールとエンコーダの組合せ、もしくは、１つもしくは２つ以上の光センサ、もしくは、１つもしくは２つ以上のマイクロスイッチ、もしくは光センサとマイクロスイッチの組合せでもよい。
【００２９】
（１−２）磁気カード挿入・抜取り時の動作
ここで、本実施の形態にかかる磁気カードの挿入・抜取時のスキミング防止動作について、図３と、図４および図５を参照して説明する。図３は、本実施の形態にかかるカード処理装置の妨害磁界発生動作を示す説明図であり、図４は、本実施の形態にかかるカード処理装置のカード移動速度と妨害磁界の周波数を示す説明図であり、図５は、本実施の形態にかかるカード処理装置のカード移動速度と妨害磁界の周波数を示す説明図である。
【００３０】
まず、スキミング装置の磁気ヘッド４０ａで読み取られる磁気カード２００の磁気情報の信号周波数について説明する。磁気カード２００のデータ記録密度は、ＩＳＯ規格でトラック２は７５ｂｐｉ（ビット／インチ）（約３ビット／ｍｍ）、トラック１とトラック３は２１０ｂｐｉ（ビット／インチ）（約８．４ビット／ｍｍ）と規定されている。一方、磁気カード２００がスキミング装置の磁気ヘッド４０ａを移動する速度は、０．１〜１ｍ／秒の範囲であることが多い。また、磁気情報が０と１の繰り返しパターンであるときの磁気ストライプの読み取り信号の信号周波数は、データ記録密度と磁気カード２００の移動速度との積で表される。従って、データ記録密度が７５ｂｐｉの磁気カード２００の読み取り信号の信号周波数は、３００Ｈｚ〜３ｋＨｚとなり、データ記録密度が２１０ｂｐｉの磁気カード２００の読み取り信号の信号周波数は、８４０Ｈｚ〜８．４ｋＨｚとなる。
【００３１】
カード処理装置１００の読み取り対象、例えば、データ記録密度７５ｂｐｉの磁気カード２００が０．１〜１ｍ／秒で移動する場合、読み取り信号の信号周波数は３００Ｈｚ〜３ｋＨｚとなり、データ記録密度２１０ｂｐｉの磁気カード２００が０．１〜１ｍ／秒で移動する場合、読み取り信号の信号周波数は８４０Ｈｚ〜８．４ｋＨｚとなる。一方、スキミング装置の磁気ヘッド４０ａが、読み取りデータの信号周波数成分のみを通過させるバンドパスフィルタを備えている場合には、読み取り信号の信号周波数よりも十分に高い、または低い周波数の妨害磁界を磁気ストライプ中に発生させるだけでは、妨害磁界による妨害信号がバンドパスフィルタで除去されてしまうので、妨害波を放射するループアンテナの駆動信号として、読み取り信号の信号周波数と同じもしくは近い周波数の駆動信号を使用する必要がある。
【００３２】
次に、磁気カード２００が挿入もしくは引き抜かれるときに、図３に示すように、カード速度検出部３０に含まれるカード速度検出センサ３１で磁気カード２００の移動速度を検出し、検出信号を磁気カード２００の速度情報として制御部２に送信する。
【００３３】
制御部２は、カード速度検出センサ３１から磁気カード２００の移動速度に関する速度情報を受信した場合、磁界制御部１３を制御対象として制御するために、受信した速度情報を基に、磁界発生部１１から放射される妨害磁界の周波数を決定する。具体的には、制御部２は、カード速度検出部３０から受信した磁気カード２００の移動速度に基づいてループアンテナ１２から送信する妨害磁界の周波数を計算する。この際、制御部２は、速度（磁気カード２００の移動速度）に合わせた周波数を選択し、選択した周波数の情報を磁界制御部１３に転送する。磁界制御部１３は、受信した周波数の情報を基に磁界発生部１１のループアンテナ１２からの妨害磁界の周波数を制御する。これにより、磁界発生部１１からは、読み取り信号の信号周波数と同じもしくは近い周波数であって、制御部２で選択された周波数の妨害波（妨害磁界）が出力され、開口部２０の周囲に妨害磁界が放射される。
【００３４】
ここで、データ記録密度が７５ｂｐｉの磁気カード２００が利用される場合、図４（ａ）に示すように、制御部２は、「妨害波周波数（Ｈｚ）＝カード移動速度（ｍｍ／ｓ）×３．０」の計算式で、妨害波（妨害磁界）の周波数を算出する。この際、制御部２は、図４（ｂ）に示すように、妨害波の周波数として、３００Ｈｚ〜３ｋＨｚの中から、磁気カード２００の移動速度に合わせた周波数（読み取り信号の信号周波数）を選択する。
【００３５】
また、データ記録密度が２１０ｂｐｉの磁気カード２００が利用される場合、図５（ａ）に示すように、制御部２は、「妨害波周波数（Ｈｚ）＝カード移動速度（ｍｍ／ｓ）×８．４」の計算式で、妨害波（妨害磁界）の周波数を算出する。この際、制御部２は、図５（ｂ）に示すように、妨害波の周波数として、８４０Ｈｚ〜８．４ｋＨｚの中から、磁気カード２００の移動速度に合わせた周波数（読み取り信号の信号周波数）を選択する。この際、制御部２は、速度情報から得られた磁気カード２００の移動速度と磁気カード２００のデータ記録密度に応じた係数（３．０又は８．４）とから、磁界発生部１１から放射される妨害磁界の周波数（妨害周波数）を決定する。
【００３６】
そして制御部２から磁界制御部１３に、算出された周波数（選択された周波数）の情報を送り、算出された周波数による妨害磁界をループアンテナ１２により発生させることで、確実に不正装置による磁気カード２００の磁気情報の読み取り（スキミング）を防止することができる。
【００３７】
妨害磁界の放射タイミングについては、常時放射する場合だけではなく、カード速度検出センサ３１で磁気カード２００が検出されたときに、制御部２が、磁界制御部１３に磁界発生指令を送信し、磁界発生部１１により妨害磁界を放射させてもよい。
【００３８】
また、利用者がＡＴＭの前に立ったときに、ＡＴＭからカード処理装置１００に起動指令が送信されるようにしてもよい。そして、該起動指令をホストインタフェイス７により受信した制御部２が、磁界制御部１３に磁界発生指令を送信し、磁界発生部１１により妨害磁界を放射させてもよい。この場合、妨害発生ユニット１０への磁気カード２００の挿入前から、磁界発生部１１により妨害磁界が放射させてもよい。
【００３９】
また、カード挿入検出センサ８によりカード処理装置１００内に磁気カード２００が取り込まれたことが検出されると、制御部２が、磁界制御部１３に磁界出力指令を送信する。磁界制御部１３は、磁界出力指令を受信すると、磁界発生部１１によりループアンテナ１２からの妨害磁界の放射を開始させる。他の例として、妨害磁界を所定時間放射した後、妨害磁界の放射を停止させるようにしてもよい。
【００４０】
また、カード位置検出センサ６によりカード処理装置１００から磁気カード２００が引き抜かれたことが検知されると、制御部２が、磁界制御部１３に磁界出力指令を送信する。磁界制御部１３は、磁界出力指令を受信すると、磁界発生部１１によりループアンテナ１２からの妨害磁界の放射を開始させる。他の例として、妨害磁界を所定時間放射した後、妨害磁界の放射を停止させるようにしてもよい。
【００４１】
妨害磁界の強度については、常時一定の強度で放射する場合だけではなく、カード速度検出センサ３１で検出された磁気カード２００の移動速度によって、妨害磁界の強度を変更してもよい。例えば、磁気カード２００の移動速度が遅い場合は、妨害磁界の強度を弱くし、磁気カード２００の移動速度が速い場合は、妨害磁界の強度を強くすることができる。磁気カード２００の移動速度によって、妨害磁界の強度を変更することで、消費電力を抑制することができる。
【００４２】
本実施の形態では、磁気カード２００の磁気信号の周波数と妨害磁界の周波数が一致、もしくは非常に近傍にあることにより、スキミング装置は妨害磁界をフィルタリングすることができないため、確実に妨害することができる。
【００４３】
また、磁気カード２００が、スキミング装置を通るときの移動速度が０．１ｍ／秒以下、もしくは１ｍ／秒以上であるときも、磁気カード２００の移動速度と磁気カード２００の記録密度から算出される周波数と同じ周波数、もしくは、算出される周波数の近傍の周波数を妨害磁界の周波数として出力することにより、効果的にスキミング装置を妨害することができる。
【００４４】
また、制御部２は、磁気カード２００の移動速度が検出されない場合には、磁気カード２００がないと判定できるため、妨害磁界の放射を停止し、磁気カード２００の移動速度が検出されたときには、磁気カード２００があると判定できるため、磁気カード２００の移動速度が検出されたときにのみ妨害磁界を放射させる制御を実行することにより、必要なときにのみ妨害磁界が放射され、消費電力を抑えることができる。
【００４５】
（１−３）本実施の形態の効果
本実施の形態によれば、磁気カード２００の移動速度に係わらず、磁気カード２００に記録された磁気情報の不正な読み取りを防止することができる。即ち、広範囲の移動速度（０．０１ｍ〜２ｍ/秒）の磁気カード２００においても、不正装置による磁気カード２００の磁気情報の不正な読み取り（スキミング）を確実に防止することができる。
【００４６】
また、磁気カード２００が移動するときにのみ妨害磁界を出力するため、消費電力を抑えつつ、不正装置による磁気カード２００の磁気情報の不正な読み取り（スキミング）を防止することができる。
【００４７】
（２）第２の実施の形態
（２−１）カード処理装置の構成
次に、第２の実施の形態について説明する。本実施の形態にかかるカード処理装置１００の構成において図６を参照し、第１の実施の形態と同様箇所については詳細な説明は省略し、以下では、第１の実施の形態と異なる妨害発生ユニット１０に係わる構成および動作について詳細に説明する。図６は、本発明の第２の実施の形態にかかるカード処理装置の構成を示すブロック図である。
【００４８】
まず、図６に示す妨害発生ユニット１０の詳細について説明する。妨害発生ユニット１０は、ＩＳＯ規格の７５ｂｐｉと２１０ｂｐｉの両方が記録された磁気カード２００に対応するため、磁界発生部１１と磁界発生部１６を有する。磁界発生部は２つに限らず、複数を有する場合でもよい。磁界発生部１６には、ループアンテナ１７と、ループアンテナ１７を駆動するための回路（図示せず）が含まれている。磁界発生部１６は、ループアンテナ１７に電流を流すことにより、ループアンテナ１２から放射される妨害磁界とは異なる妨害磁界を放射させる。磁界発生部１１は第１の実施の形態と同様の構成のため、説明は省略する。
【００４９】
磁界制御部１３は、例えば、制御部２からの指令（制御信号）を基に磁界発生部１１のループアンテナ１２からの妨害磁界と磁界発生部１６のループアンテナ１７からの妨害磁界の周波数および強度を制御し、妨害磁界の発生および停止を制御する。
【００５０】
カード位置検出センサ６とカード挿入検出センサ８は、第１の実施の形態と同様の構成のため、説明は省略する。
【００５１】
（２−２）磁気カード挿入・抜取り時の動作
ここで、本実施の形態にかかる磁気カードの挿入・抜取時のスキミング防止動作について、図６および図７を参照して説明する。図７は、本実施の形態にかかるカード処理装置のカード移動速度と妨害磁界の周波数を示す説明図である。
【００５２】
７５ｂｐｉと２１０ｂｐｉの両方が記録された磁気カード２００が利用される場合、カード速度検出部３０に含まれるカード速度検出センサ３１は、開口部２０から挿入および排出される磁気カード２００の移動速度を検出し、検出信号（検出速度）を、磁気カード２００の速度情報として制御部２に送信する。
【００５３】
制御部２は、カード速度検出センサ３１から磁気カード２００の移動速度に関する速度情報を受信した場合、磁界制御部１３を制御対象として制御するために、受信した速度情報から、磁界発生部１１と磁界発生部１６からそれぞれ放射される妨害磁界の周波数を決定する。具体的には、制御部２は、カード速度検出部３０から受信した磁気カード２００の移動速度に基づいてループアンテナ１２とループアンテナ１７からそれぞれ送信する妨害磁界（妨害波）の周波数を計算する。この際、制御部２は、速度（磁気カード２００の移動速度）に合わせた周波数を選択し、選択した周波数の情報を磁界制御部１３に転送する。磁界制御部１３は、受信した周波数の情報を基に磁界発生部１１のループアンテナ１２からの妨害磁界の周波数を制御すると共に、受信した周波数の情報を基に磁界発生部１６のループアンテナ１７からの妨害磁界の周波数を制御する。これにより、磁界発生部１１からは、読み取り信号の信号周波数と同じもしくは近い周波数であって、制御部２で選択された周波数の妨害波（妨害磁界）が出力され、開口部２０の周囲に妨害磁界が放射され、磁界発生部１６からは、読み取り信号の信号周波数と同じもしくは近い周波数であって、制御部２で選択された周波数の妨害波（妨害磁界）が出力され、開口部２０の周囲に妨害磁界が放射される。
【００５４】
ここで、ループアンテナ１２およびループアンテナ１７からそれぞれ送信する妨害磁界の周波数を計算するに際して、制御部２は、図７（ａ）に示すように、ループアンテナ１２から送信する妨害波の周波数を、「妨害波周波数（Ｈｚ）＝カード移動速度（ｍｍ／ｓ）×３．０」の計算式で算出する。この際、制御部２は、図７（ｂ）に示すように、妨害波の周波数として、３００Ｈｚ〜３ｋＨｚの中から、磁気カード２００の移動速度に合わせた周波数を選択する。また、制御部２は、図７（ａ）に示すように、ループアンテナ１７から送信する妨害波の周波数を、「妨害波周波数（Ｈｚ）＝カード移動速度（ｍｍ／ｓ）×８．４」の計算式で算出する。この際、制御部２は、図７（ｂ）に示すように、妨害波の周波数として、８４０Ｈｚ〜８．４ｋＨｚの中から、磁気カード２００の移動速度に合わせた周波数を選択する。
【００５５】
制御部２から磁界制御部１３に、算出した妨害波の周波数の情報を送り、算出した妨害波の周波数による妨害磁界をループアンテナ１２とループアンテナ１７により発生させることで、７５ｂｐｉと２１０ｂｐｉの両方が記録された磁気カード２００においても、確実に不正装置による磁気カード２００の磁気情報の不正な読み取り（スキミング）を防止することができる。
【００５６】
（２−３）本実施の形態の効果
本実施の形態によれば、広範囲の移動速度（０．０１ｍ〜２ｍ/秒）の７５ｂｐｉと２１０ｂｐｉの両方が記録された磁気カード２００においても、不正装置による磁気カード２００の磁気情報の不正な読み取り（スキミング）を確実に防止することができる。
【００５７】
（３）第３の実施の形態
（３−１）カード処理装置の構成
次に、第３の実施の形態について説明する。本実施の形態にかかるカード処理装置１００の構成における、第１の実施の形態と異なる点は、カード速度検出部３０が構成に含まれない点のみであり、他の構成については、第１の実施の形態と同様である。
【００５８】
（３−２）磁気カード読取り時の動作
ここで、本実施の形態にかかる磁気カードの挿入・抜取時のスキミング防止動作について、図８および図９を参照して説明する。図８は、本発明の第３の実施の形態にかかるカード処理装置の構成を示すブロック図であり、図９は、本実施の形態にかかるカード処理装置の妨害磁界発生動作を示す説明図である。
【００５９】
７５ｂｐｉのみが記録された磁気カード２００、または、２１０ｂｐｉのみが記録された磁気カード２００、または、７５ｂｐｉと２１０ｂｐｉの両方が記録された磁気カード２００が利用される場合、磁気ヘッド４ａのトラック２からは７５ｂｐｉで記録された磁気情報（磁気信号）が、磁気ヘッド４ａのトラック１およびトラック３からは２１０ｂｐｉで記録された磁気情報（磁気信号）が、それぞれ磁気カード２００の移動速度に関する速度情報として駆動回路５０から制御部２に送信される。
【００６０】
制御部２は、駆動回路５０から速度情報を受信した場合、各トラックから送信される磁気情報（速度情報）から、磁気カード２００の移動速度（カード移動速度）を算出し、算出した移動速度（カード移動速度）に基づいてループアンテナ１２およびループアンテナ１７から送信する妨害磁界の周波数を計算する。この際、制御部２は、駆動回路５０から出力される磁気信号（速度情報）から、磁気カード２００の移動速度（カード移動速度）を算出し、算出した速度（カード移動速度）に合わせた周波数を選択し、選択した周波数の情報を磁界制御部１３に転送する。磁界制御部１３は、受信した周波数の情報を基に磁界発生部１１のループアンテナ１２からの妨害磁界の周波数を制御すると共に、受信した周波数の情報を基に磁界発生部１６のループアンテナ１７からの妨害磁界の周波数を制御する。これにより、磁界発生部１１と磁界発生部１６からは、制御部２で選択された周波数の妨害波（妨害磁界）がそれぞれ出力され、開口部２０の周囲に、周波数の異なる妨害磁界が放射される。
【００６１】
ここで、制御部２は、ループアンテナ１２から送信する妨害波の周波数を、「妨害波周波数（Ｈｚ）＝カード移動速度（ｍｍ／ｓ）×３．０」の計算式で算出し、ループアンテナ１７から送信する妨害波の周波数を、「妨害波周波数（Ｈｚ）＝カード移動速度（ｍｍ／ｓ）×８．４」の計算式で算出する。
【００６２】
制御部２から磁界制御部１３に、算出した妨害周波数の情報を送り、算出した妨害周波数による妨害磁界をループアンテナ１２とループアンテナ１７から放射させることで、不正装置による磁気カード２００の磁気情報の不正な読み取り（スキミング）を確実に防止することができる。
【００６３】
（３−２）本実施の形態の効果
本実施の形態によれば、広範囲の移動速度（０．０１ｍ〜２ｍ/秒）の７５ｂｐｉと２１０ｂｐｉの両方が記録された磁気カード２００においても、構成を追加することなく、不正装置による磁気カード２００の磁気情報の不正な読み取り（スキミング）を確実に防止することができる。
【００６４】
なお、本発明は上記した実施の形態に限定されるものではなく、様々な変形例が含まれる。例えば、上記した実施の形態におけるカード処理装置１００を自動取引装置に適用することができる。具体的には、情報の入出力を行う入出力部（タッチパネル）と、磁気カードに記録された磁気情報を読み取って処理するカード処理部（カードリーダ）と、レシートに情報を記録して処理するレシート処理部と、現金（紙幣と硬貨を含む）の入出力を行う現金処理部と、全体を統括制御すると共に、データベースと情報の送受信を行う制御部とを備えた自動取引装置を構成する場合、カード処理部に、カード処理装置１００の構成要素を搭載することができる。また、制御部２と磁界制御部１３を一体化し、制御部２が磁界発生部１１、１６を制御することもできる。上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加・削除・置換をすることが可能である。
【００６５】
また、上記の各構成、機能等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に記録して置くことができる。
【符号の説明】
【００６６】
１  本体、２  制御部、４  磁気読み取り部、６  カード位置検出センサ、８  カード挿入検出センサ、１０  妨害発生ユニット、１１  磁界発生部、１２  ループアンテナ、１３  磁界制御部、１６  磁界発生部、１７  ループアンテナ、３０  カード速度検出部、３１  カード速度検出センサ、１００  カード処理装置、２００  磁気カード
【図１】
0006513600.tif 000002
【図２】
0006513600.tif 000003
【図３】
0006513600.tif 000004
【図４】
0006513600.tif 000005
【図５】
0006513600.tif 000006
【図６】
0006513600.tif 000007
【図７】
0006513600.tif 000008
【図８】
0006513600.tif 000009
【図９】
0006513600.tif 000010